(57)【要約】【課題】表示部を飾り部材との間に隙間を空けて設置することで、斬新な装飾効果を有する遊技機を提供する。【解決手段】パチンコ遊技機の遊技盤２に設けられた開口部の裏側から取り付けられる保持部材６、保持部材６のほぼ中央から前方に張り出した支持シャフト８、支持シャフト８の先端に取り付けられ、数字や記号を可変式に表示する表示部１０、表示部１０の裏側となる保持部材６の内壁面に様々な模様を備えた奥側装飾部材２０とから構成されている。このとき奥側装飾部材２０には発光源であるランプ等が備えられており、加えて表側装飾部材４と表示部１０との間にある隙間から遊技者が目視することができる構成である。【選択図】図３
2004267281.tif 000002
【特許請求の範囲】
【請求項１】
開口を有し遊技盤の表側に位置される表側装飾部材を有し、遊技盤の貫通孔に取付けられるパチンコ遊技機の盤面表示器において、
遊技盤から裏側に拡がる三次元空間の少なくとも奥側に配置される奥側装飾部材と、
前記三次元空間の前側に配置される、図柄を可変表示する表示部と、
前記表側装飾部材から裏側に延び出し前記奥側装飾部材と前記表示部とを保持する保持部材と、を備え、
正面視で前記表示部の表面積は前記開口の表面積よりも小さく設定されていて、前記表示部の周囲に隙間が存在し、
正面視で前記表示部の周囲に前記奥側装飾部材が視認できように前記奥側装飾部材を配置することを特徴とするパチンコ遊技機の盤面表示器。
【請求項２】
前記奥側装飾部材は、前記三次元空間の奥側から前記表示部の周辺近傍まで延設されていることを特徴とする請求項１のパチンコ遊技機の盤面表示器。
【請求項３】
前記支持部材は、前記表示部の裏側と連結され、前記保持部材の奥面の中央部に連結され、遊技盤の表側から視認できないことを特徴とする請求項１のパチンコ遊技機の盤面表示器。
【請求項４】
前記奥側装飾部材の下方にパチンコ球が遊動する球遊び部を設けたことを特徴とする請求項１乃至３いずれかのパチンコ遊技機の盤面表示器。
【請求項５】
前記三次元空間の奥側に発光部を設けることを特徴とする請求項１乃至４いずれかのパチンコ遊技機の盤面表示器。
【請求項６】
前記表示部と表側装飾部材との間隙に可動自在な可動部材を備えることを特徴とする請求項１乃至５いずれかのパチンコ遊技機の盤面表示器。
【請求項７】
前記表示部は、ドットマトリックス式又はセグメント式の表示部であることを特徴とする請求項１乃至６いずれかのパチンコ遊技機の盤面表示器。
【発明の詳細な説明】
【０００１】
【発明の属する技術分野】
本発明は、パチンコ遊技機の遊技盤面上に取り付ける盤面表示器に関する。
【０００２】
【従来の技術】
パチンコ遊技機の遊技盤面を装飾したり任意の数字等を表示する装飾表示器等に関する従来の技術は、図柄表示装置が取り付けられた前表示ユニットを、遊技盤の透孔に貫挿された状態で取付け、この遊技盤の裏面に後表示ユニットを取り付けるようにしている（例えば特許文献１参照）。また、表示部飾り部材を、遊技盤のほぼ中央部分に設けられている取付穴の前方から取り付け、画像表示部を設けたＬＣＤユニットを遊技盤の裏面から取り付けるようにしているものもある（例えば特許文献２参照）。
【０００３】
【特許文献１】
特開平６−２７７３３６号公報（第２頁、第１図）
図柄表示装置が取り付けられた前表示ユニットを、遊技盤の透孔に貫挿された状態で取付け、この遊技盤の裏面に後表示ユニットを取り付けるようにすることで、遊技盤の透孔内及びその後方の空きスペースを有効に活用してコンパクトに設置することを可能とし、図柄表示装置を遊技盤に対して位置ずれを無くして正確にセットすることができる。
【特許文献２】
特開２００２−８５４号公報（第５頁、第３図）
表示部飾り部材を、遊技盤のほぼ中央部分に設けられている取付穴の前方から取り付け、画像表示部を設けたＬＣＤユニットを遊技盤の裏面から取り付けるようにしている。また、ＬＣＤ表示機と表示制御基板の間に脚部を設けて、ＬＣＤ表示機と表示制御基板との間に所定間隔を置いて取り付けている。
【０００４】
【発明が解決しようとする課題】
しかしながら、従来のパチンコ遊技機では、遊技盤面の表示器と装飾用の飾り部材が密接した状態で組み付けてあるため、飾り部材は平面的で二次元的な装飾効果をなし、飾り部材の装飾や電飾方法を様々に変えてバリエーションを増やしたとしても、パチンコ遊技機の新たな装飾効果にはつながらないといった問題があった。また、飾り部材のステージの奥行きは狭小であって、パチンコ球の遊動は二次元な動きにしかならないという機構上の制約もある。
【０００５】
本発明は、従来の技術の有するこのような種々の問題点に鑑みなされたものであり、従来の盤面表示器との差別化を計り、斬新な装飾効果等を企図することを課題とするものである。
【０００６】
【課題を解決するための手段及び効果】
請求項１の盤面表示器は、開口を有し遊技盤の表側に位置される表側装飾部材を有し、遊技盤の貫通孔に取付けられるパチンコ遊技機の盤面表示器において、遊技盤から裏側に拡がる三次元空間の少なくとも奥側に配置される奥側装飾部材と、前記三次元空間の前側に配置される、図柄を可変表示する表示部と、前記表側装飾部材から裏側に延び出し前記奥側装飾部材と前記表示部とを保持する保持部材と、を備え、正面視で前記表示部の表面積は前記開口の表面積よりも小さく設定されていて、前記表示部の周囲に隙間が存在し、正面視で前記表示部の周囲に前記奥側装飾部材が視認できように前記奥側装飾部材を配置することを特徴とするパチンコ遊技機の盤面表示器である。
【０００７】
上記請求項１記載の盤面表示器によれば、前記課題が好適に解決できるほか、奥行きを最大限に活用して、遠近感の違いよる視覚的な立体視覚効果が生じ、前記奥側装飾部材から前記表示部が前面に迫り出すように見えるとともに表示部があたかも空中に浮いているように見えるようになり、視覚的に斬新な装飾効果が高まる。
【０００８】
請求項２の盤面表示器の前記奥側装飾部材は、前記三次元空間の奥側から前記表示部の周辺近傍まで延設されていることが好ましい。これにより前記課題が好適に解決できる上、奥側装飾部材の立体感が増し、表示部の浮遊感も増すため、視覚的効果が高められる。
【０００９】
請求項３の盤面表示器の前記支持部材は、前記表示部の裏側と連結され、前記保持部材の奥面の中央部に連結され、遊技盤の表側から視認できないことが好ましい。これにより前記課題が好適に解決できる上、支持部材が隠れるので、浮遊感が増大する。
【００１０】
請求項４の盤面表示器の前記奥側装飾部材の下方にパチンコ球が遊動する球遊び部を設けることが好ましい。これにより前記課題が好適に解決できる上、球遊び部のスペースが広く取れ、球遊び形状の自由度が増したことで、遊技者の射倖性が向上する効果が期待できる。
【００１１】
請求項５の盤面表示器の前記三次元空間の奥に発光部を設けることが好ましい。これにより前記課題が好適に解決できる上、表示部が奥側装飾部材の奥部から照らされることで浮遊感が電飾的に高まり、また装飾の立体感が増大することで視覚的効果が高められる。
【００１２】
請求項６の盤面表示器は、前記表示部と表側装飾部材との間隙に可動自在な可動部材を備えることが好ましい。これにより前記課題が好適に解決できる上、また可動自在な奥側装飾部材が表示部の周囲からあたかも飛び出すような演出、あるいは奥側装飾部材が可動手であれば表示部を手で握るような演出、表示部自体を回転、反復運動させる演出など、広いスペースを活用し、遊技者に視覚的に劇的な印象を与える効果が期待できる。
【００１３】
請求項７の盤面表示器の前記表示部は、ドットマトリックス式又はセグメント式の表示部であることが好ましい。これにより前記課題が好適に解決できる上、従来技術の液晶表示パネル（ＬＣＤユニット）式と同様の位置に表示部を設けたにもかかわらず、従来技術では不可欠となっていた液晶表示パネルの制御基板のスペースが不要になる。この表示部から裏側のスペースを有効に利用することで盤面における盤面表示器の省スペース化が実現する効果がある。
【００１４】
本発明と特許文献１，２とは、遊技盤の透孔内及びその後方の空きスペースを利用している点で共通するが、表示部の周囲に三次元空間を設けて隙間を空けて設置し、球遊び部のスペースを広くとり球遊び形状の自由度が増す本発明とは異なる。
【００１５】
【発明の実施の形態】
以下、本発明の実施形態１のパチンコ遊技機の盤面表示器１について、図１〜図３を参照して説明する。パチンコ遊技機の盤面表示器１は、パチンコ遊技機の遊技盤２の開口部３に取付けられ開口を有する表側装飾部材４と、表側装飾部材４の開口部３から裏側に拡がる三次元空間５を覆うために取り付けられる前面を開放した箱状に形成される保持部材６と、を備えている。
【００１６】
盤面表示器１は、保持部材６内面のほぼ中央から、前方におおむね水平に延び出す支持シャフト８、支持シャフト８の先端に取り付けられ、正面視で支持シャフト８の断面積よりも大きな表面積を有し、三次元空間５の概ね中央部に配置されて、周囲に隙間が形成され、数字や記号等の図柄を可変表示する表示部１０を備えている。正面視で表示部１０の表面積は三次元空間５の入口面積よりも小さく設定されていてその周囲に隙間５ａが存在している。表示部１０は三次元空間５に配置される支持シャフト８で裏面が支持され、正面からみると支持シャフト８は隠れていて見えないようになっている。支持シャフト８の後端部は保持部材６の中央ベース部９に固定されている。表示部１０は演出効果を高めるため三次元空間５の前側に配置されている。固定の態様はその他、当業者が実施できる範囲で、種々挙げられる。三次元空間５のサイズはパチンコ機の構造上、許容される範囲内であればよく、適宜採択可能である。本例では、三次元空間５の高さが奥行き以下のサイズが好ましく、その横幅は遊技盤２の遊技領域の左右最大幅より小さいサイズが好ましい。なお、盤面表示器１の寸法は、一例として、横１００〜２００ｍｍ、縦５０〜１００ｍｍ、三次元空間５の奥行きは７０〜８０ｍｍ、隙間５ａは２０〜３０ｍｍが挙げられる。
【００１７】
表示部１０は、図１に示す通り、数字や文字等の図柄を可変表示する可変図柄表示ユニット１１が３個横に並んで設けられている。この可変図柄表示ユニット１１は、本実施態様ではドットマトリクス或いはセグメント表示式を採用している。可変図柄表示ユニット１１の配設数は、３個に限定されず、遊技機の形態や、三次元空間５のスペースを狭めない範囲で変更可能である。
【００１８】
盤面表示器１は、表示部１０の視認を妨げないよう、三次元空間５の奥側（保持部材６の内壁面近辺）に奥側装飾部材２０を備えている。この奥側装飾部材２０は、正面視で表示部１０の周囲の三次元空間５に配置される。奥側装飾部材２０から前面に迫り出すように設け、三次元空間５の表側から奥側装飾部材２０を視認できるよう表示部１０及び奥側装飾部材２０を配置してある。奥側装飾部材２０は、表示部１０と表側装飾部材４の間にある三次元空間５から遊技者が目視することができる。奥側装飾部材２０近辺に発光部材２１を設けてある。
【００１９】
盤面表示器１は、表側装飾部材４の下部左右に両側に球誘導口２２，２３と、球誘導口２２，２３から流入した遊技球を遊技盤２へと誘導するステージ領域を有し奥側装飾部材２０の下方に配置されパチンコ球を遊動させる球遊び部２５と、球遊び部２５から遊技盤２へ流下させる球放出口２６とを備えている。球遊び部２５は図３では斜線の領域に配置され、具体的な形状は、図２の示す通り、球遊び部２５は、三次元空間５の奥側まで延設されており、中央部に孔付段状ステージ、左右にカーブ状球誘導路等を備え、球を遊動させ、遊技者に視覚に訴求するものである。
なお、球遊び部２５は遊技球を好適に遊技盤２へと誘導するために保持部材６の奥側から、遊技盤２方向へ向けて緩やかな傾斜状をなす構成としても良い。また、天入賞口（図示略）からワープルート（図示略）を介して、三次元空間５に導入するように構成することも可能である。
【００２０】
図２に示す通り、奥側装飾部材２０は、広幅の装飾板３０と、装飾板３０の内側に複数のレンズ部材３１とを備え、複数のレンズ部材３１が中心から外周方向に放射状に配設され、レンズ部材３１の平面の角度が前方に対して傾斜して配置され、その前方の表示部１０が空中に浮遊しているように見せるための電飾的な演出を行っているものである。奥側装飾部材２０の左側面には特別図柄（特図）保留記憶用ＬＥＤ３２が所定方向（ここでは縦方向）に４個配設されており、特図保留記憶用ＬＥＤ３２の周囲は例えばポリカーボネート製の筒状肉厚レンズ部材３３で囲まれ、特図保留記憶用ＬＥＤ３２の光が正面からのみならず側面からでも視認可能な構成となっている。奥側装飾部材２０の右側面には、左側面と同様に筒状肉厚レンズ部材３４が配設され、この筒状肉厚レンズ部材３４の前面側には文字や数字等の図柄のＬＥＤ３５が形成され（図ではＣＨＡＮＣＥの文字）、遊技者に遊技状態の報知や演出を行うのである。なお、左右筒状肉厚レンズ３３，３４の内側部分にはメッキ加工された波状板材３６，３７が配設され、波状板材３６，３７に背景が映り込むことで、三次元空間５をより広く感じさせる効果が期待できる。
【００２１】
本実施形態のパチンコ遊技機の盤面表示器１の作用について説明する。パチンコ遊技機の盤面表示器１は、パチンコ遊技機の遊技盤２に取り付けられ、発射装置（図示略）により弾かれたパチンコ球は遊技盤２に設けられている誘導レール（図示略）から遊技盤２の上方に誘導され、遊技盤２の上部から流下する。この際、弾かれた複数のパチンコ球が球誘導部２２，２３から球遊び部２５に流入し、球遊び部２５を遊動しながら球放出口２６から遊技盤２へと流下する。表示部１０に図柄が可変表示されることで、大当りの当否が表示される。このような一連の遊技過程中に、遊技者は奥側装飾部材２０を表示部１０の周囲に立体的に視認できる。また、発光部材２１が前方の三次元空間５を照明し、発光部材２１からの照明がレンズ部材３１で反射され、特図保留記憶用ＬＥＤ３２が記憶保留された個数を表示し、ＬＥＤ３５が大当りやリーチのチャンスであることを表示し、波状部材３６，３７に背景が映り込む作用をなす。
【００２２】
このように、表示部１０の周囲に隙間があり、表示部１０と奥側装飾部材２０に遠近感を感じることから、遊技者は表示部１０に浮遊感を感じる効果がある。また、奥側装飾部材２０も立体的に照明されることになり、奥側装飾部材２０の立体感が増大する。これらにより、盤面表示器１０は、斬新な装飾効果を生み出すこととなる。さらに、表示部１０は、ドットマトリクス或いはセグメント表示式を採用したことで、大型の制御基板が必要な液晶表示を用いる従来の表示機よりも小型にすることが可能となり、省スペースを実現できる。これにより、三次元空間５に奥行きと幅を持たせて、表示部１０と奥側装飾部材１０の有効な配置を可能とし、また、パチンコ球が遊動するスペースを広く取ることができることで、球遊び形状の自由度が増すといった効果もある。このように、本実施形態のパチンコ遊技機の盤面表示器１は、遊技者の注目を浴びることで、遊技者の興趣を飛躍的に増大させることが期待される。
【００２３】
次に実施形態２のパチンコ遊技機の盤面表示器１０１は、図４に示す通り、概ね実施形態１と同様の構造であり、共通する要素については概ね図示及び説明を略す。
【００２４】
パチンコ遊技機の盤面表示器１０１は、実施形態１の奥側装飾部材２０に代えて又はそれに加えて、図４に示すような、人間の手に似た可動部材１４０を取り付けたものであり、三次元空間５内の左右の奥部に可動部材１４０を取付ける可動部材取り付け部（図示略）が設けられ、この可動部材取り付部（図示略）に、小型のアクチュエータ（図示略）が設けてある。図４（ａ）に示すように、可動部材１４０を奥側から表示部１１０の両側に手を開いた状態で配置し、さらには、特定の遊技状態（例えば、リーチのときなど）に合わせて、図４（ｂ）に示すように可動部材１４０の両手が表示部１１０を左右から握り込む動作を行わせるといった作用が実現できる。追加的に、可動部材１４０を照明する照明装置を設けることもできる。
【００２５】
また、遊技中に、人間の手型状の可動部材１４０が表示部１０の周囲に存在するように構成したが、遊技状態に応じて、奥側から表示部１１０の両側に突然出現するように構成してもよく、遊技者に大きな衝撃を与える演出効果を期待できる。その他、実施形態１と同様の効果を発揮する。
【００２６】
なお、本発明は、上述の実施の形態又は実施形態に限定されるものではなく、本発明の技術的思想を逸脱しない範囲に於て、改変等を加えることが出来るものであり、それらの改変、均等物等も本発明の技術的範囲に含まれることとなる。
【００２７】
例えば、三次元空間５において、表示部１０を機械的駆動装置（図示略）によって回転運動、または反復運動させるなどの構成も考えられる。このときは支持シャフト８によって駆動されることが好ましい。また表示部１０に表示される以外の図柄（例えば第４図柄）を表示するための可変記号表示ユニットを新たに設ける構成も考えられる。また表示部１０に用いる可変記号表示ユニット１１においても、保持部材６内部の省スペース化を妨げないのであれば小型の液晶表示器を用いる構成としても良い。
【図面の簡単な説明】
【図１】実施形態１の同パチンコ遊技機の盤面表示器の正面図である。
【図２】同パチンコ遊技機の盤面表示器（表示部を取り除いた状態である）の内部構造を表わした一部切欠斜視図である。
【図３】パチンコ遊技機の盤面表示器（奥側装飾部材は取り除いてある状態である）の縦断面図である。
【図４】同パチンコ遊技機の盤面表示器の実施形態２の斜視図であり、人間の手に似た可動部材が表示部の両側にある作用説明図（ａ）、同可動部材が表示部を握る動きをする作用説明図（ｂ）である。
【符号の説明】
１…盤面表示器  ２…遊技盤  ３…開口部  ４…表側装飾部材
５…三次元空間  ６…保持部材  ８…支持シャフト
１０…表示部  ９…中央ベース部  １１…可変図柄表示ユニット
２０…奥側装飾部材  ２１…発光部材  ２２，２３…球誘導部
２５…球遊び部  ２６…球放出口  ３１…レンズ部材
３２…特別図柄（特図）保留記憶用ＬＥＤ
３３…筒状肉厚レンズ部材  ３４…筒状肉厚レンズ部材
３５…ＬＥＤ  ３６，３７…波状板材  １０１…盤面表示器
１４０…可動部材
【図１】
2004267281.tif 000003
【図２】
2004267281.tif 000004
【図３】
2004267281.tif 000005
【図４】
2004267281.tif 000006